(57)【要約】蓄電装置は、電極組立体と、電極組立体を収容したケースと、第１及び第２の電極端子と、第１の電極端子に電気的に接続される電流遮断機構とを備える。電流遮断機構は、ケースの内部圧力が設定圧力に達すると、電極端子と電極組立体との間の電気的な通電経路の電流を遮断する構造を有する。電流遮断機構は、電流遮断機構を含めた第１の電極端子と電極組立体の端面とを絶縁する機構絶縁部と、第２の電極端子と電極組立体の端面とを絶縁する端子絶縁部とを備える。壁部から第１の電極端子を含む機構絶縁部までの突出寸法と、壁部から第２の電極端子を含む端子絶縁部までの突出寸法とが同じである。
2017110548.tif 000002
【特許請求の範囲】
【請求項１】
異なる極性の電極が互いに絶縁されて積層された状態の電極組立体と、
前記電極組立体を収容したケースと、
同じ極性の前記電極と電気的にそれぞれ接続され、前記ケースの壁部に固定された第１及び第２の電極端子と、
前記第１の電極端子と電気的に接続される電流遮断機構と、を備える蓄電装置であって、
前記電流遮断機構は、前記ケースの内部圧力が設定圧力に達すると、前記電極端子と前記電極組立体との間の電気的な通電経路の電流を遮断する構造を有し、
前記電流遮断機構を含めた前記第１の電極端子と前記電極組立体の前記端面とを絶縁する機構絶縁部と、
前記第２の電極端子と前記電極組立体の前記端面とを絶縁する端子絶縁部と、を備え、
前記壁部から前記第１の電極端子を含む前記機構絶縁部までの突出寸法と、
前記壁部から前記第２の電極端子を含む前記端子絶縁部までの突出寸法とが同じである蓄電装置。
【請求項２】
同じ極性の前記電極と前記電極端子とを接続し、前記壁部と前記端面との間に配置された一対の導電部材を備えるとともに、一対の前記導電部材と前記壁部とを絶縁する導電部材絶縁部を備え、前記端子絶縁部及び前記機構絶縁部は、前記導電部材絶縁部と一体である、請求項１に記載の蓄電装置。
【請求項３】
前記電流遮断機構は、一面に前記ケースの内部圧力が作用し、他面に前記ケースの外部圧力が作用する変形板を備え、かつ前記第１の電極端子と前記電極組立体との電気的な通電経路の一部を構成するとともに、前記電極組立体の端面と前記第１の電極端子との間に配置されている、請求項１又は請求項２に記載の蓄電装置。
【請求項４】
前記蓄電装置は二次電池である、請求項１〜３の何れか一項に記載の蓄電装置。
【発明の詳細な説明】
【技術分野】
【０００１】
本発明は、ケースの内部圧力が設定圧力に達すると、変形板の変形によって通電経路の電流を遮断する電流遮断機構を備える蓄電装置に関する。
【背景技術】
【０００２】
従来から、ＥＶ（Electric Vehicle）やＰＨＶ（Plug in Hybrid Vehicle）などの車両には、としてリチウムイオン二次電池やニッケル水素二次電池などの蓄電装置が搭載されている。蓄電装置は、電動機などの電装品への供給電力を蓄える。一般的に、二次電池は、活物質層を有する正極電極及び負極電極が層状に重なった電極組立体と、該電極組立体を収容するケースとを備えている。ケースとしては、電極組立体を挿入するための開口部を有するケース部材と、ケース部材の開口部を閉塞する蓋部材とを有するものがある。正極電極及び負極電極の一辺からはタブが突設され、各タブには各極用の導電部材が接合されている。さらに、各導電部材には各極の電極端子が電気的に接続され、各電極端子は蓋部材に固定されている。【０００３】
また、二次電池は、ケースの内部圧力の上昇に対応して電流を遮断する電流遮断機構を備えたものがある。電流遮断機構は、一方の極性の電極端子と電極組立体とを電気的に接続している通電経路上に設けられている（例えば、特許文献１参照）。特許文献１の二次電池では、電流遮断機構は正極の電極端子と一体化されるとともに、蓋部材の内面と、この内面に対向した電極組立体の端面との間に画定された空間に配置されている。このような電流遮断機構は、タブを有する電極組立体を備えた二次電池においても電極端子と電極組立体との通電経路に設けることで適用可能である。
【先行技術文献】
【特許文献】
【０００４】
【特許文献１】特開２０１２−１１９１８３号公報
【発明の概要】
【発明が解決しようとする課題】
【０００５】
正極の電極端子及び負極の電極端子は互いに異なる材料からなる。そのため、正極の電極端子及び負極の電極端子は、互いに異なる電気抵抗及び強度を有する。したがって、両電極端子における電気抵抗及び強度の差を小さくしようとすると、両電極端子は互いに異なる形状や寸法を有するように形成される。その結果、正極の電極端子から電極組立体までの距離は、負極の電極端子から電極組立体までの距離と異なることになる。【０００６】
また、電流遮断装置を二次電池に適用する場合、何れか一方の電極端子に配置される。例えば、電流遮断装置が正極の電極端子に配置される場合、通電経路を構成する部材が電極組立体と正極の電極端子との間に位置する。該部材は、電極組立体に向かって突出する部分を有する。該部材における電極組立体に最も近接する部分から電極組立体までの距離は、負極の電極端子から電極組立体までの距離と異なる場合がある。電流遮断装置が負極の電極端子に配置される場合でも、電流遮断装置における電極組立体に最も近接する部分から電極組立体までの距離は、正極の電極端子から電極組立体までの距離と異なる場合がある。【０００７】
このため、二次電池が振動し、タブの変形によって電極組立体が蓋部材に近付いたときには、電極組立体の端面の一部が電流遮断機構に対し局所的に接触してしまう。
本発明の目的は、電極組立体への局所的な接触を抑制できる蓄電装置を提供することにある。
【課題を解決するための手段】
【０００８】
上記目的を達成するための蓄電装置は、異なる極性の電極が互いに絶縁されて積層された状態の電極組立体と、前記電極組立体を収容したケースと、同じ極性の前記電極と電気的にそれぞれ接続され、前記ケースの壁部に固定された第１及び第２の電極端子と、前記第１の電極端子と電気的に接続される電流遮断機構と、を備える。前記電流遮断機構は、前記ケースの内部圧力が設定圧力に達すると、前記電極端子と前記電極組立体との間の電気的な通電経路の電流を遮断する構造を有する。前記電流遮断機構は、前記電流遮断機構を含めた前記第１の電極端子と前記電極組立体の前記端面とを絶縁する機構絶縁部と、前記第２の電極端子と前記電極組立体の前記端面とを絶縁する端子絶縁部とを備える。前記壁部から前記第１の電極端子を含む前記機構絶縁部までの突出寸法と、前記壁部から前記第２の電極端子を含む前記端子絶縁部までの突出寸法とが同じである。【０００９】
これによれば、機構絶縁部により、電流遮断機構と電極組立体とを絶縁することができ、端子絶縁部により、電流遮断機構の存在しない第２の電極端子と電極組立体とを絶縁することができる。そして、壁部から機構絶縁部に至るまでの突出寸法と、壁部から端子絶縁部に至るまでの突出寸法が同じであることから、蓄電装置が外力を受けたり、振動したりして、電極組立体が壁部に近付いても、電極組立体の端面には、機構絶縁部及び端子絶縁部が同じように接触し、しかも接触面積を広く確保でき、電極組立体の端面に対し電流遮断機構が局所的に接触してしまうことを抑制できる。【００１０】
また、蓄電装置について、同じ極性の前記電極と前記電極端子とを接続し、前記壁部と前記端面との間に配置された一対の導電部材を備えるとともに、一対の前記導電部材と前記壁部とを絶縁する導電部材絶縁部を備え、前記端子絶縁部及び前記機構絶縁部は、前記導電部材絶縁部と一体であってもよい。【００１１】
これによれば、導電部材絶縁部と端子絶縁部と機構絶縁部が一体化されているため、導電部材の絶縁用の部品と、電流遮断機構の絶縁用の部品と、電極端子の絶縁用の部品とを別体とする場合と比べると、蓄電装置の部品点数を減らし、組立を容易にすることができる。【００１２】
また、前記電流遮断機構は、一面に前記ケースの内部圧力が作用し、他面に前記ケースの外部圧力が作用する変形板を備え、かつ前記第１の電極端子と前記電極組立体との電気的な通電経路の一部を構成するとともに、前記電極組立体の端面と前記第１の電極端子との間に配置されてもよい。【００１３】
蓄電装置は二次電池である。
【発明の効果】
【００１４】
本発明によれば、電極組立体への局所的な接触を抑制できる。
【図面の簡単な説明】
【００１５】
【図１】実施形態の二次電池を示す斜視図。
【図２】実施形態の二次電池を示す部分破断正面図。
【図３】実施形態の二次電池を示す分解斜視図。
【図４】実施形態の二次電池を示す部分断面図。
【図５】絶縁カバーを示す斜視図。
【図６】（ａ）は絶縁カバーの装着状態を示す図４の６ａ−６ａ線断面図、（ｂ）は絶縁カバーの装着状態を示す図４の６ｂ−６ｂ線断面図。
【図７】絶縁カバーの装着状態を示す斜視図。
【図８】外部接続端子付近を示す図４の８−８線断面図。
【図９】電極組立体と絶縁カバーとの接触状態を示す断面図。
【発明を実施するための形態】
【００１６】
以下、蓄電装置を二次電池に具体化した一実施形態を図１〜図９にしたがって説明する。
図１又は図３に示すように、蓄電装置としての二次電池１０はケース１１を備え、ケース１１には電極組立体１２が収容されている。ケース１１は、四角箱状のケース部材１４と、このケース部材１４の開口部１４ａを閉塞する矩形平板状の壁部としての蓋部材１５とを有している。なお、本実施形態の二次電池１０はリチウムイオン電池である。
【００１７】
電極組立体１２は、シート状の複数の正極電極２１とシート状の複数の負極電極３１とを備え、正極電極２１と負極電極３１とは異なる極性の電極である。詳細に図示しないが、正極電極２１は、正極金属箔（本実施形態ではアルミニウム箔）と、その正極金属箔の両面に存在する正極活物質層とを有する。負極電極３１は、負極金属箔（本実施形態では銅箔）と、その負極金属箔の両面に存在する負極活物質層とを有する。そして、電極組立体１２は、複数の正極電極２１と複数の負極電極３１の間にこれらを絶縁するセパレータ２４を介在させて層状とした積層型である。
【００１８】
正極電極２１は、正極電極２１の一辺２１ａの一部から突出した形状のタブ２５を有する。負極電極３１は、負極電極３１の一辺３１ａの一部から突出した形状のタブ３５を有する。複数の正極のタブ２５、及び複数の負極のタブ３５は、正極電極２１及び負極電極３１が積層された状態で、正極のタブ２５と負極のタブ３５とが重ならない位置にそれぞれ設けられている。電極組立体１２は、正極電極２１の一辺２１ａ、負極電極３１の一辺３１ａ、及びセパレータ２４の一辺を寄せ集めて形成されたタブ側端面１２ｂを有する。電極組立体１２を構成する各正極電極２１は、それぞれのタブ２５が積層方向に沿って列状に配置されるように積層される。同様に、電極組立体１２を構成する各負極電極３１は、それぞれのタブ３５が積層方向に沿って列状に配置されるように積層される。
【００１９】
二次電池１０は、タブ側端面１２ｂから突出した正極のタブ群３６を有し、このタブ群３６は、全ての正極のタブ２５を電極組立体１２における積層方向の一側に寄せ集め、積層して構成されている。また、二次電池１０は、タブ側端面１２ｂから突出した負極のタブ群３６を有し、このタブ群３６は、全ての負極のタブ３５を電極組立体１２における積層方向の一側に寄せ集め、積層して構成されている。そして、二次電池１０では、ケース１１に収容された各タブ群３６、及び電極組立体１２のタブ側端面１２ｂに対し、ケース１１の壁部としての蓋部材１５の内面が対峙している。蓋部材１５の内面と、電極組立体１２のタブ側端面１２ｂとを最短距離で結ぶ方向を対向方向Ｚとする。
【００２０】
図３又は図４に示すように、正極のタブ群３６には、電極組立体１２と、後述の正極端子構造１６とを電気的に接続するための正極導電部材５１が接合されている。また、負極のタブ群３６には、電極組立体１２と、後述の負極端子構造１７とを電気的に接続するための負極導電部材５２が接合されている。蓋部材１５の内面と電極組立体１２のタブ側端面１２ｂとの間には、正極導電部材５１及び負極導電部材５２が配置されている。
【００２１】
正極導電部材５１は、タブ群３６と接合され略Ｕ字状のタブ接合部５１ａを長手方向一側に備える。また、正極導電部材５１は、後述の正極引出端子６０と接続される平板状の端子接続部５１ｂを長手方向他側に備え、タブ接合部５１ａと端子接続部５１ｂは長手方向に連続している。
【００２２】
負極導電部材５２は、タブ群３６と電気的に接合された略Ｕ字状のタブ接合部５２ａを長手方向一側に備える。また、負極導電部材５２は、後述の負極引出端子６１と電気的に接合された端子接続部５２ｂを長手方向他側に備え、タブ接合部５２ａと端子接続部５２ｂは長手方向に連続している。
【００２３】
次に、正極端子構造１６及び負極端子構造１７を説明する。なお、正極端子構造１６と負極端子構造１７は、電流遮断機構を除いて基本的に同じ構成であるため、共通の部材については、同じ部材番号を使用して説明する。
【００２４】
まず、正極端子構造１６及び負極端子構造１７を設けるための蓋部材１５の構成について説明する。蓋部材１５は、ケース１１の外側に臨む外面１５ｃ及びケース１１の内側に臨む内面１５ｄを有し、蓋部材１５において、外面１５ｃと内面１５ｄを最短距離で結ぶ方向を厚み方向とする。
【００２５】
蓋部材１５は、長手方向における両側に係止凹部１８を備える。各係止凹部１８は、外面１５ｃから厚み方向に沿って凹んだ形状である。蓋部材１５を外面１５ｃから見て、係止凹部１８の外形は四角形状である。蓋部材１５は、内面１５ｄから突出した突部１９を備える。突部１９は、係止凹部１８を凹ませることで内面１５ｄから突出した形状となっており、突部１９の外形は四角形状である。蓋部材１５は、長手方向における各係止凹部１８より外側に挿通孔１５ｅを備える。
【００２６】
正極端子構造１６及び負極端子構造１７は、蓋部材１５の外面１５ｃに配置された外側絶縁部材５７を備える。この外側絶縁部材５７は、正極の外部接続端子６６及び正極引出端子６０と蓋部材１５を絶縁し、負極の外部接続端子６６及び負極引出端子６１と蓋部材１５とを絶縁する。外側絶縁部材５７は合成樹脂製である。外側絶縁部材５７は、蓋部材１５の外面１５ｃから見て矩形状である。外側絶縁部材５７の表面５７ｃと裏面５７ａとを結ぶ方向を厚み方向とする。
【００２７】
外側絶縁部材５７は、長手方向の一端寄りに、裏面５７ａから厚み方向に突出した回り止め部５８を備える。回り止め部５８は、表面５７ｃから裏面５７ａに向けて四角孔状に突出した形状である。回り止め部５８の四つの外側面を結んで形成される四角形状は、蓋部材１５の係止凹部１８の四つの内側面を結んで形成される四角形状と相似である。そして、外側絶縁部材５７は、回り止め部５８が係止凹部１８に挿入された状態で蓋部材１５に設置されている。回り止め部５８の四つの外側面は、係止凹部１８の四つの内側面に接触し、係止している。この接触により、外側絶縁部材５７は、蓋部材１５の外面１５ｃに沿う方向への移動が規制され、特に、外面１５ｃ上での回転が規制されている。外側絶縁部材５７は、長手方向において回り止め部５８と反対側の端部寄りに挿通孔５７ｄを備える。挿通孔５７ｄは、蓋部材１５の挿通孔１５ｅと一致した位置にある。
【００２８】
正極端子構造１６及び負極端子構造１７は、蓋部材１５の外側に配置された外部接続端子６６を備え、この外部接続端子６６は蓋部材１５の外側でバスバーを固定可能とする。外部接続端子６６は金属製である。この外部接続端子６６は、角柱状のボルト頭部６７と、外部接続端子６６の軸方向に沿ってボルト頭部６７の一端面から突出した形状の軸部６８と、ボルト頭部６７の他端面から突出した形状の係合凸部６９とを、備える。軸部６８には、バスバー締結用のナットが螺合可能である。
【００２９】
係合凸部６９は軸方向に見て四角形状である。係合凸部６９の四つの外側面を結んで形成される四角形状は、外側絶縁部材５７の回り止め部５８の四つの内側面を結んで形成される四角形状と相似である。そして、外部接続端子６６の係合凸部６９は、外側絶縁部材５７の回り止め部５８内に挿入されている。係合凸部６９の四つの外側面は、回り止め部５８の四つの内側面に接触している。この接触により、外部接続端子６６は、外側絶縁部材５７の表面５７ｃに沿う方向への移動が規制され、特に、外側絶縁部材５７の表面５７ｃでの回転が規制されている。
【００３０】
正極端子構造１６は、電極組立体１２の正極のタブ群３６と正極導電部材５１を介して電気的に接続された電極端子としての正極引出端子６０を備える。負極端子構造１７は、電極組立体１２の負極のタブ群３６と負極導電部材５２を介して電気的に接続された電極端子としての負極引出端子６１を備える。
【００３１】
正極引出端子６０は、後述の端子接続部材４４と電気的に接続される接続用軸部６０ａと、正極導電部材５１の端子接続部５１ｂと電気的に接続される基部６０ｂとを軸方向に連続して備える。なお、端子接続部材４４は、長手方向の一側に、外部接続端子６６と接続される接続片４６を備え、長手方向の他側に固定片４７を備える。端子接続部材４４は、接続片４６を厚み方向に貫通する貫通孔４６ａを備え、この貫通孔４６ａには外部接続端子６６の軸部６８が挿通されている。また、端子接続部材４４は、固定片４７を厚み方向に貫通する挿通孔４７ａを備える。
【００３２】
そして、正極引出端子６０の基部６０ｂは、蓋部材１５の内面１５ｄからケース１１内に突出して配置されているとともに、接続用軸部６０ａは、正極導電部材５１の挿通孔５１ｃ、後述する内側絶縁部材４０の挿通孔４０ａ、蓋部材１５の挿通孔１５ｅ、外側絶縁部材５７の挿通孔５７ｄ及び端子接続部材４４の挿通孔４７ａを貫通している。
【００３３】
正極端子構造１６は、Ｏリング７３を備え、このＯリング７３には、正極引出端子６０の接続用軸部６０ａが挿通されているとともに、Ｏリング７３は正極導電部材５１の端子接続部５１ｂに支持されている。また、正極端子構造１６は、接続用軸部６０ａが挿通された前述の内側絶縁部材４０を有する。内側絶縁部材４０は、四角板状である。蓋部材１５の短手方向に沿う内側絶縁部材４０の寸法は、同じく蓋部材１５の短手方向に沿う正極導電部材５１の寸法より大きい。このため、内側絶縁部材４０は、蓋部材１５の短手方向に沿って正極導電部材５１よりも突出している。
【００３４】
図４に示すように、内側絶縁部材４０の内側には、端子接続部５１ｂに支持されたＯリング７３が配置されている。そして、内側絶縁部材４０は、蓋部材１５と、端子接続部５１ｂとの間に介在し、蓋部材１５と端子接続部５１ｂの接触を規制するとともに、蓋部材１５と正極導電部材５１とを絶縁する。
【００３５】
端子接続部材４４の挿通孔４７ａを貫通した接続用軸部６０ａの先端部が軸方向にかしめられることにより、接続用軸部６０ａと基部６０ｂによって、正極導電部材５１、内側絶縁部材４０、蓋部材１５、外側絶縁部材５７、及び端子接続部材４４の固定片４７が挟持されている。この挟持により、正極引出端子６０が蓋部材１５に固定されている。Ｏリング７３は、蓋部材１５の内面１５ｄのうち挿通孔１５ｅの周囲に密接し、蓋部材１５の挿通孔１５ｅをシールしている。
【００３６】
また、正極引出端子６０の接続用軸部６０ａの先端部は、端子接続部材４４における固定片４７の表面に係止するとともに、この係止によって正極引出端子６０と端子接続部材４４が電気的に接続されている。また、正極引出端子６０の基部６０ｂは、正極導電部材５１の端子接続部５１ｂに接触し、この接触によって、正極引出端子６０と正極導電部材５１が電気的に接続されている。
【００３７】
負極端子構造１７において、負極引出端子６１は、負極の端子接続部材４４と電気的に接続される接続用軸部６２と、負極導電部材５２の端子接続部５２ｂと電気的に接続される基部６３とを軸方向に連続して備える。負極引出端子６１の接続用軸部６２は、内側絶縁部材４０の挿通孔４０ａ、蓋部材１５の挿通孔１５ｅ、外側絶縁部材５７の挿通孔５７ｄ及び端子接続部材４４の挿通孔４７ａに挿通されている。
【００３８】
負極引出端子６１の基部６３は、四角柱状である。基部６３の外形形状は、負極引出端子６１を軸方向から見て四角形状である。負極引出端子６１は、軸方向に貫通する軸孔６４を備え、軸孔６４は、接続用軸部６２及び基部６３を貫通している。また、負極引出端子６１は、その基部６３における電極組立体１２のタブ側端面１２ｂに対峙する端面に端子端面６３ｂを備えるとともに、端子端面６３ｂよりも接続用軸部６２に向けて凹む凹部６３ｃを備える。凹部６３ｃは、軸孔６４に連通している。また、端子端面６３ｂは、凹部６３ｃを取り囲む環状である。
【００３９】
負極端子構造１７は、Ｏリング７３を有し、このＯリング７３には接続用軸部６２が挿通されるとともに、Ｏリング７３は基部６３に支持されている。負極端子構造１７は、接続用軸部６２が挿通された筒状の内側絶縁部材４０を有する。内側絶縁部材４０の内側には、基部６３に支持されたＯリング７３が配置されている。そして、内側絶縁部材４０は、蓋部材１５と、負極引出端子６１の基部６３との間に介在し、蓋部材１５と基部６３との接触を規制するとともに、蓋部材１５と負極引出端子６１とを絶縁する。また、負極の内側絶縁部材４０は、基部６３の外周面を覆い、ケース１１から負極引出端子６１を絶縁する。
【００４０】
負極端子構造１７において、端子接続部材４４の挿通孔４７ａを貫通した接続用軸部６２の先端部が軸方向にかしめられることにより、接続用軸部６２と基部６３によって、内側絶縁部材４０、蓋部材１５、外側絶縁部材５７、及び端子接続部材４４が挟持されている。この挟持により、負極引出端子６１が蓋部材１５に固定されている。Ｏリング７３は、蓋部材１５の内面１５ｄのうち挿通孔１５ｅの周囲に密接し、蓋部材１５の挿通孔１５ｅをシールしている。
【００４１】
また、負極引出端子６１の接続用軸部６２の先端部は、端子接続部材４４における固定片４７の表面に係止するとともに、この係止によって負極引出端子６１と端子接続部材４４が電気的に接続されている。
【００４２】
二次電池１０は、第１の電極端子としての負極引出端子６１に電気的に接続された電流遮断機構８０を備える。なお、上記の正極引出端子６０は第２の電極端子となる。電流遮断機構８０は、ケース１１の内部に配置されており、ケース１１の内部圧力が所定の設定圧力に達すると、電極組立体１２と、負極引出端子６１とを電気的に接続している通電経路の電流を遮断する。電流遮断機構８０は、負極引出端子６１の基部６３と、負極導電部材５２の端子接続部５２ｂの接続部に位置している。電流遮断機構８０は、負極引出端子６１に一体に組み込まれている。
【００４３】
この実施形態では、負極引出端子６１の基部６３が電流遮断機構８０を介して負極導電部材５２に電気的に接続されるとともに、負極導電部材５２が負極のタブ群３６に電気的に接続されることにより、電極組立体１２と、負極引出端子６１との間の通電経路が構成されている。
【００４４】
電流遮断機構８０は、ケース１１の内部に発生したガスによって作動すると、負極引出端子６１の基部６３と負極導電部材５２との電気的な接続を遮断する。つまり、電流遮断機構８０は、作動していないときには上記通電経路の一部を構成し、ケース１１の内部に発生したガスの圧力を受けて作動したときに上記通電経路を遮断する。
【００４５】
電流遮断機構８０は、負極導電部材５２の端子接続部５２ｂと基部６３とに接合された接点板８１を有する。接点板８１は、導電性の材料製であり、電極組立体１２に向けて凸となる碗状である。そして、接点板８１は、基部６３の凹部６３ｃを電極組立体１２側から覆っている。接点板８１における凹部６３ｃからはみ出している外周部と、基部６３の端子端面６３ｂとは、溶接により固定されている。
【００４６】
接点板８１における凹部６３ｃと対向する部分は、通常状態において電極組立体１２（下方）に向けて凸となっており、この電極組立体１２に向けて凸となった部分と、負極導電部材５２の端子接続部５２ｂとが溶接されている。接点板８１と端子接続部５２ｂとの溶接部分である負極溶接部分Ｐを、負極引出端子６１と負極導電部材５２とを導通する導通部とする。よって、負極導電部材５２と負極引出端子６１とは、接点板８１を介して電気的に接続されている。電流遮断機構８０は、基部６３と負極導電部材５２との間に配置された絶縁リング８２、及び絶縁リング８２の外周側に配置されたシールリング８３を有する。
【００４７】
負極導電部材５２は、端子接続部５２ｂの電極組立体１２と対向する面に変形用凹部５３ａを有する。変形用凹部５３ａは、電極組立体１２から蓋部材１５に向けてすり鉢状に凹んでいる。変形用凹部５３ａの底面に負極溶接部分Ｐが位置している。端子接続部５２ｂは、変形用凹部５３ａの底面となる部位に図示しない破断溝を有する。破断溝は負極溶接部分Ｐを取り囲む円環状である。
【００４８】
電流遮断機構８０は、ケース１１の内部圧力を受圧して変形する変形板８５を有する。変形板８５は、弾性材料、例えば金属板で構成されたダイヤフラムであり、端子接続部５２ｂより電極組立体１２に近い位置に配置されている。変形板８５は、円板形状であって変形用凹部５３ａを電極組立体１２側から覆っている。変形板８５の外周部と端子接続部５２ｂとが変形板８５の外周部の全周にわたって溶接固定されている。変形板８５は、ケース１１内部をケース１１外部に対して気密に隔てている。
【００４９】
変形板８５は、通常状態において蓋部材１５側から電極組立体１２側（下方）に向けて凸となっており、この凸部分における負極溶接部分Ｐと対向する箇所には、蓋部材１５に向けて突出した突起８５ａを有する。突起８５ａは、絶縁性の材料により構成されており、破断溝で囲まれた負極溶接部分Ｐと対向している。
【００５０】
変形板８５の一面（電極組立体１２と対向する面）には、ケース１１の内部圧力が作用している。また、変形板８５の他面（蓋部材１５と対向する面）には、負極引出端子６１の軸孔６４を介してケース１１の外部圧力（略大気圧）が作用している。そして、変形板８５は、電極組立体１２と対向する面に、設定圧力に達した内部圧力が付与された場合に、圧力によって変形して蓋部材１５に向けて凸となるように構成されている。
【００５１】
そして、上記構成の電流遮断機構８０においては、ケース１１の内部圧力が所定の設定圧力に達すると、変形板８５が蓋部材１５に向けて変形し、突起８５ａが、端子接続部５２ｂと接点板８１との負極溶接部分Ｐを破断する。その結果、負極引出端子６１と負極導電部材５２との電気的な接続が遮断され、上記通電経路の電流が遮断される。
【００５２】
次に、ケース１１内の絶縁カバー９０について説明する。
図４に示すように、絶縁カバー９０は、対向方向Ｚにおいて正極導電部材５１及び負極導電部材５２と蓋部材１５との間に介在する導電部材絶縁部９１を備える。また、絶縁カバー９０は、電流遮断機構８０を含めた負極引出端子６１と、電極組立体１２のタブ側端面１２ｂとを絶縁する機構絶縁部９３と、正極引出端子６０と電極組立体１２のタブ側端面１２ｂとを絶縁する端子絶縁部９２とを備える。そして、絶縁カバー９０は長手方向に沿う側面視略Ｕ字状である。
【００５３】
図５に示すように、機構絶縁部９３は、矩形状の導電部材絶縁部９１の長手方向の一端部に一体であり、端子絶縁部９２は、導電部材絶縁部９１の長手方向の他端部に一体である。即ち、導電部材絶縁部９１、端子絶縁部９２及び機構絶縁部９３は単一の部材からなる。導電部材絶縁部９１は、長手方向に沿って見た側面視でＬ字状であり、絶縁部本体９１ａと、絶縁部本体９１ａの一つの長縁部から電極組立体１２に向けて突出した形状の側壁部９１ｂを備える。
【００５４】
図４に示すように、二次電池１０において、正極導電部材５１と負極導電部材５２が並ぶ方向を並設方向とすると、絶縁カバー９０の長手方向が並設方向に沿う。並設方向に沿って一対の内側絶縁部材４０の対向面同士を結ぶ直線の寸法を寸法Ｎとする。絶縁カバー９０において、導電部材絶縁部９１の長手方向への寸法は、上記寸法Ｎより僅かに長い。このため、導電部材絶縁部９１の長手方向の両端面のうち、一端面は正極の内側絶縁部材４０の内側面に当接可能であり、他端面は負極の内側絶縁部材４０の内側面に当接可能な位置にある。導電部材絶縁部９１の短手方向への寸法は、タブ接合部５１ａ，５２ａの短手方向への寸法より若干長い。
【００５５】
そして、導電部材絶縁部９１の絶縁部本体９１ａは、対向方向Ｚにおける正極及び負極のタブ接合部５１ａ，５２ａと、蓋部材１５との間に介在し、タブ接合部５１ａ，５２ａと蓋部材１５とを絶縁する。また、導電部材絶縁部９１の側壁部９１ｂは、各タブ群３６とケース部材１４の長側壁の内面との間に介在し、各タブ群３６とケース部材１４とを絶縁する。
【００５６】
図８に示すように、絶縁カバー９０は、絶縁部本体９１ａの長手方向両端部に収容凹部９１ｆを備える。収容凹部９１ｆは、絶縁部本体９１ａの外面９１ｃから電極組立体１２に向けて四角形状に凹む形状である。そして、各収容凹部９１ｆには、蓋部材１５の突部１９が入り込んでおり、突部１９の外側面と収容凹部９１ｆの内側面との接触により、絶縁カバー９０の長手方向及び短手方向に沿った絶縁カバー９０の移動が規制されている。
【００５７】
図５に示すように、絶縁カバー９０は、導電部材絶縁部９１における側壁部９１ｂの長手方向両端部で、かつ短手方向の一端部に一体の連結部９４を備える。そして、長手方向一端の連結部９４に機構絶縁部９３が連結され、側壁部９１ｂの長手方向他端の連結部９４に端子絶縁部９２が連結されている。長手方向に沿う側面視では、絶縁部本体９１ａと端子絶縁部９２、及び絶縁部本体９１ａと機構絶縁部９３とは、連結部９４によって、対向方向Ｚに離間している。
【００５８】
図４に示すように、絶縁カバー９０において、絶縁部本体９１ａは、電極組立体１２のタブ側端面１２ｂに対峙する面に内面９１ｄを備える。端子絶縁部９２は、蓋部材１５の外面１５ｃから見た平面視が四角形状である。端子絶縁部９２の平面視サイズは、正極引出端子６０の基部６０ｂの平面視サイズより大きく、基部６０ｂの全体を電極組立体１２側から覆うことができる。
【００５９】
端子絶縁部９２は、正極引出端子６０の基部６０ｂに対峙する内面９２ｂを備えるとともに、電極組立体１２のタブ側端面１２ｂに対峙する外面９２ｄを備え、外面９２ｄは平坦面状である。端子絶縁部９２は、内面９２ｂのうち、絶縁部本体９１ａ寄りに突条部９２ｅを備え、突条部９２ｅは絶縁カバー９０の短手方向全体に亘って存在する。また、突条部９２ｅは、絶縁部本体９１ａよりも端子絶縁部９２寄りに位置し、対向方向Ｚにおいて絶縁部本体９１ａと突条部９２ｅは重なり合っておらず、長手方向に位置ずれしている。
【００６０】
ただし、長手方向に沿う側面視では、絶縁部本体９１ａと突条部９２ｅとは対向方向Ｚに対向した位置にある。よって、絶縁カバー９０は、対向方向Ｚにおいて絶縁部本体９１ａと突条部９２ｅとの間に正極側隙間９５ａを備え、この正極側隙間９５ａは、絶縁カバー９０の短手方向における連結部９４と反対側の端部に開口する。対向方向Ｚに沿う正極側隙間９５ａの寸法は、正極導電部材５１の厚みより大きく、正極側隙間９５ａには、端子接続部５１ｂが挿入されている。また、端子絶縁部９２は、絶縁カバー９０の長手方向の先端部となる位置にリブ９２ｇを備える。リブ９２ｇは絶縁カバー９０の短手方向全体に亘って存在する。
【００６１】
そして、正極導電部材５１のタブ接合部５１ａに絶縁カバー９０の絶縁部本体９１ａが支持されるとともに、対向方向Ｚに沿うタブ接合部５１ａと蓋部材１５との間に絶縁部本体９１ａが挟まれている。
【００６２】
絶縁カバー９０の短手方向に沿う両端部のうち、突条部９２ｅの一端部に連結部９４が位置し、他端部に係止爪９２ａが存在する。端子絶縁部９２の係止爪９２ａは、突条部９２ｅから対向方向Ｚに突出している。絶縁カバー９０の短手方向に沿う連結部９４と突条部９２ｅの対向面間の寸法は、短手方向に沿う正極導電部材５１の寸法より大きく、正極の内側絶縁部材４０の寸法より僅かに長い。そして、正極側隙間９５ａ内に端子接続部５１ｂが入り込んだ状態では、絶縁カバー９０の短手方向に対向した内側絶縁部材４０の縁部の一方に連結部９４が当接するとともに、図６（ｂ）に示すように、他方の縁部に係止爪９２ａが係止している。加えて、図２に示すように、対向方向Ｚに沿うリブ９２ｇの先端面は、内側絶縁部材４０における電極組立体１２と対向する面に当接している。
【００６３】
また、機構絶縁部９３は、蓋部材１５の外面１５ｃから見た平面視が四角形状である。機構絶縁部９３の平面視サイズは、負極引出端子６１の基部６３及び電流遮断機構８０の平面視サイズとほぼ同じであり、電流遮断機構８０の全体を電極組立体１２側から覆うことができる。
【００６４】
図４に示すように、機構絶縁部９３は、電流遮断機構８０の変形板８５に対峙する内面９３ｂを備えるとともに、電極組立体１２に対峙する外面９３ｄを備え、外面９３ｄは平坦面状である。機構絶縁部９３は、内面９３ｂのうち、絶縁部本体９１ａ寄りに突条部９３ｅを備え、突条部９３ｅは絶縁カバー９０の短手方向全体に亘って存在する。対向方向Ｚにおいて絶縁部本体９１ａと突条部９３ｅは重なり合った位置にある。
【００６５】
絶縁カバー９０は、対向方向Ｚにおいて絶縁部本体９１ａと突条部９３ｅとの間に負極側隙間９５ｂを備え、この負極側隙間９５ｂは、絶縁カバー９０の短手方向における連結部９４と反対側の端部に開口する。対向方向Ｚに沿う負極側隙間９５ｂの寸法は、負極導電部材５２のタブ接合部５２ａの厚みより大きく、負極側隙間９５ｂには、負極のタブ接合部５２ａが挿入されている。そして、タブ接合部５２ａに絶縁カバー９０の絶縁部本体９１ａが支持されるとともに、対向方向Ｚに沿うタブ接合部５２ａと蓋部材１５との間に絶縁部本体９１ａが挟まれている。
【００６６】
また、図５に示すように、機構絶縁部９３は、内面９３ｂの縁部に沿ってリブ９３ｇを備え、このリブ９３ｇは平面視Ｌ字状である。
ここで、図２に示すように、端子絶縁部９２の外面９２ｄからリブ９２ｇの先端面に至るまでの寸法を高さＨ１とし、機構絶縁部９３の外面９３ｄからリブ９３ｇの先端面に至るまでの寸法を高さＨ２とする。端子絶縁部９２のリブ９２ｇの高さＨ１は、機構絶縁部９３のリブ９３ｇの高さＨ２より高い。
【００６７】
図６（ａ）に示すように、絶縁カバー９０の短手方向に沿う両端部のうち、負極側の突条部９３ｅの一端部に連結部９４が位置し、他端部に係止爪９３ａが存在する。機構絶縁部９３の係止爪９３ａは、突条部９３ｅから対向方向Ｚに突出している。絶縁カバー９０の短手方向に沿う連結部９４と突条部９３ｅの対向面間の寸法は、タブ接合部５２ａの短手方向に沿う寸法より僅かに大きい。そして、負極側隙間９５ｂ内にタブ接合部５２ａが入り込んだ状態では、絶縁カバー９０の短手方向に対向したタブ接合部５２ａの縁部の一方に連結部９４が当接するとともに、他方の縁部に係止爪９３ａが係止している。加えて、図２に示すように、対向方向Ｚに沿うリブ９３ｇの先端面は、端子接続部５２ｂにおける電極組立体１２と対向する面に当接している。
【００６８】
また、図４又は図５に示すように、機構絶縁部９３は、中央部に厚み方向に貫通した逃がし凹部９３ｆを備え、この逃がし凹部９３ｆには、電流遮断機構８０の変形板８５が入り込んでいる。そして、変形板８５の下面（電極組立体１２と対向する面）には、逃がし凹部９３ｆを介してケース１１の内部圧力が作用している。
【００６９】
図２に示すように、機構絶縁部９３において、外面９３ｄからリブ９３ｇの先端面までの高さＨ２は、端子絶縁部９２において、外面９２ｄからリブ９２ｇの先端面までの高さＨ１より低い。これに対し、対向方向Ｚに沿って、蓋部材１５の内面１５ｄから正極引出端子６０の基部６０ｂまでの寸法Ｌ１は、蓋部材１５の内面１５ｄから電流遮断機構８０を含む端子接続部５２ｂまでの寸法Ｌ２よりは小さい。そして、機構絶縁部９３のリブ９３ｇは、端子接続部５２ｂに当接し、端子絶縁部９２のリブ９２ｇは、正極導電部材５１の端子接続部５１ｂに当接している。
【００７０】
蓋部材１５の内面１５ｄから端子絶縁部９２の外面９２ｄまでの寸法を正極端子構造１６の突出寸法Ｍ１とする。蓋部材１５の内面１５ｄから機構絶縁部９３の外面９３ｄまでの寸法を負極端子構造１７の突出寸法Ｍ２とする。この場合、負極端子構造１７での突出寸法Ｍ２と、正極端子構造１６での突出寸法Ｍ１は同じである。また、端子絶縁部９２の外面９２ｄと電極組立体１２のタブ側端面１２ｂとの間の間隔は、機構絶縁部９３の外面９３ｄと電極組立体１２のタブ側端面１２ｂとの間の間隔と同じである。端子絶縁部９２の外面９２ｄは、機構絶縁部９３の外面９３ｄと面一である。
【００７１】
正極端子構造１６では、電流遮断機構８０が正極引出端子６０の基部６０ｂには一体化されていないが、負極端子構造１７では、電流遮断機構８０が負極引出端子６１の基部６３に一体化されている。このため、負極端子構造１７の方が、蓋部材１５から電極組立体１２に向けて突出し、負極端子構造１７の寸法Ｌ２が、正極端子構造１６の寸法Ｌ１より大きい。しかし、絶縁カバー９０では、機構絶縁部９３の高さＨ２を端子絶縁部９２の高さＨ１より低くし、蓋部材１５からの正極端子構造１６及び負極端子構造１７の突出寸法の差を絶縁カバー９０の形状により補っている。その結果、絶縁カバー９０により、電流遮断機構８０を電極組立体１２側から覆いつつも、機構絶縁部９３の外面９３ｄと、端子絶縁部９２の外面９２ｄとが面一になっている。
【００７２】
次に、二次電池１０の製造方法を記載する。
なお、負極の負極引出端子６１の端子端面６３ｂには接点板８１が接合され、接点板８１、絶縁リング８２、シールリング８３、及び負極導電部材５２（端子接続部５２ｂ）がユニット化されているものとする。また、負極導電部材５２の端子接続部５２ｂには変形板８５が接合されており、負極引出端子６１と電流遮断機構８０と負極導電部材５２が予め一体化されているとする。
【００７３】
まず、蓋部材１５の各係止凹部１８に外側絶縁部材５７の回り止め部５８を挿入した状態で蓋部材１５の外面１５ｃに外側絶縁部材５７を配置する。その外側絶縁部材５７の回り止め部５８内に外部接続端子６６の係合凸部６９が挿入される。端子接続部材４４の貫通孔４６ａに外部接続端子６６の軸部６８を挿入する。
【００７４】
次に、正極側において、蓋部材１５の内面１５ｄ側にＯリング７３、内側絶縁部材４０を配置するとともに正極導電部材５１を配置し、正極引出端子６０の接続用軸部６２を正極導電部材５１の挿通孔５１ｃ、内側絶縁部材４０の挿通孔４０ａ、Ｏリング７３、蓋部材１５の挿通孔１５ｅ及び端子接続部材４４の挿通孔４７ａに挿入する。そして、正極引出端子６０の接続用軸部６０ａのかしめにより、基部６０ｂと接続用軸部６０ａの先端部との間に、正極導電部材５１、内側絶縁部材４０、蓋部材１５、外側絶縁部材５７、及び端子接続部材４４が一体化される。
【００７５】
負極側において、蓋部材１５の内面１５ｄ側にＯリング７３、内側絶縁部材４０を配置し、内側絶縁部材４０の挿通孔４０ａ、Ｏリング７３、蓋部材１５の挿通孔１５ｅ及び端子接続部材４４の挿通孔４７ａに、負極引出端子６１の接続用軸部６２を挿入する。そして、接続用軸部６２のかしめにより、基部６３と接続用軸部６２の先端部との間に、内側絶縁部材４０、蓋部材１５、外側絶縁部材５７、及び端子接続部材４４が一体化されるとともに、電流遮断機構８０も一体化される。
【００７６】
すると、蓋部材１５に正極端子構造１６及び負極端子構造１７が形成され、蓋端子組立体２０が形成される。蓋端子組立体２０では、外側絶縁部材５７の回り止め部５８の外側面と、蓋部材１５の係止凹部１８の内側面との係止により、外側絶縁部材５７の蓋部材１５上での回転が規制される。この回転の規制された外側絶縁部材５７の回り止め部５８の内側面と外部接続端子６６の係合凸部６９の外側面との係止により、外部接続端子６６の回転が規制される。
【００７７】
蓋端子組立体２０では、対向方向Ｚにおける蓋部材１５とタブ接合部５１ａ，５２ａとの間に隙間が存在している。また、タブ接合部５１ａ，５２ａはＬ字状にあり、タブ接合部５１ａ，５２ａは蓋部材１５から突出する部分が存在する。
【００７８】
そして、正極導電部材５１のタブ接合部５１ａに対し、電極組立体１２の正極のタブ群３６がレーザ溶接によって接合され、負極導電部材５２のタブ接合部５２ａに対し、負極のタブ群３６がレーザ溶接によって接合される。すると、蓋端子組立体２０と電極組立体１２が一体化される。
【００７９】
次に、各タブ接合部５１ａ，５２ａを略Ｕ字状に折り曲げ、タブ群３６を折り曲げる。そして、図７に示すように、対向方向Ｚにおける蓋部材１５とタブ接合部５１ａ，５２ａとの間に、絶縁カバー９０の絶縁部本体９１ａを差し込むとともに、正極側隙間９５ａに正極導電部材５１を、負極側隙間９５ｂに負極導電部材５２を差し込むように、絶縁カバー９０をスライド移動させる。
【００８０】
そして、正極側において、連結部９４が内側絶縁部材４０の一縁部に当接すると、端子絶縁部９２の係止爪９２ａが内側絶縁部材４０の縁部に係止する。また、負極側において、連結部９４がタブ接合部５２ａの一長縁部に当接すると、機構絶縁部９３の係止爪９３ａがタブ接合部５２ａの他長縁部に係止する。その結果、絶縁カバー９０が正極導電部材５１及び負極導電部材５２に一体に組付けられるとともに、タブ接合部５１ａ，５２ａが絶縁部本体９１ａによって、蓋部材１５から絶縁された状態となる。
【００８１】
また、端子絶縁部９２が正極引出端子６０の基部６０ｂを電極組立体１２から絶縁し、機構絶縁部９３が電流遮断機構８０を電極組立体１２から絶縁しつつ、変形板８５を保護した状態となる。
【００８２】
そして、電極組立体１２をケース部材１４の開口部１４ａからケース部材１４内に挿入する。このとき、電極組立体１２をケース部材１４内に押し込むため、蓋端子組立体２０をケース部材１４に向けて押し込む。すると、図９に示すように、絶縁カバー９０の端子絶縁部９２の外面９２ｄ及び、機構絶縁部９３の外面９３ｄが電極組立体１２のタブ側端面１２ｂに同時に接触しながら、電極組立体１２が押圧される。
【００８３】
そして、電極組立体１２がケース部材１４内に挿入された後、蓋部材１５をケース部材１４の開口端に接合すると、二次電池１０が組み立てられる。
上記実施形態によれば、以下のような効果を得ることができる。
【００８４】
（１）正極端子構造１６における、蓋部材１５の内面１５ｄから端子絶縁部９２の外面９２ｄまでの突出寸法Ｍ１と、負極端子構造１７における、蓋部材１５の内面１５ｄから機構絶縁部９３の外面９３ｄまでの突出寸法Ｍ２を同じにした。このため、二次電池１０の初期充電時や、二次電池１０の使用時に、二次電池１０に外力が作用したり、振動を受けたりし、電極組立体１２が蓋部材１５に向けて移動したとき、端子絶縁部９２と機構絶縁部９３の両方に電極組立体１２のタブ側端面１２ｂが接触する。そして、端子絶縁部９２及び機構絶縁部９３は共に板状であり、かつ外面９２ｄ，９３ｄが平坦面状であるため、タブ側端面１２ｂとの接触面積を広く確保できる。したがって、例えば、二次電池１０の振動時に、電極組立体１２のタブ側端面１２ｂに電流遮断機構８０が局所的に接触することを抑制でき、タブ側端面１２ｂが損傷を受けにくい。
【００８５】
また、蓋端子組立体２０と電極組立体１２を一体化し、その電極組立体１２をケース部材１４に挿入する際に、タブ側端面１２ｂに対し、端子絶縁部９２及び機構絶縁部９３の外面９２ｄ，９３ｄが共当たりし、電極組立体１２に掛かる荷重が分散される。このため、電極組立体１２をケース部材１４に挿入する際に、タブ側端面１２ｂに端子絶縁部９２及び機構絶縁部９３が局所的に接触せず、タブ側端面１２ｂが損傷を受けにくい。
【００８６】
（２）正極端子構造１６では、端子絶縁部９２のリブ９２ｇが内側絶縁部材４０に当接し、負極端子構造１７では、機構絶縁部９３のリブ９３ｇが端子接続部５２ｂに当接している。そして、端子絶縁部９２のリブ９２ｇでの高さＨ１を、機構絶縁部９３のリブ９３ｇでの高さＨ２より高くし、この高さの違いにより、正極端子構造１６の突出寸法Ｍ１と負極端子構造１７の突出寸法Ｍ２を同じにできる。
【００８７】
（３）電流遮断機構８０の変形板８５は、絶縁カバー９０の機構絶縁部９３によって電極組立体１２側から覆われている。このため、二次電池１０の初期充電時や、二次電池１０の使用時に、二次電池１０に外力が作用したり、振動を受けたりしても、電極組立体１２のタブ側端面１２ｂが、変形板８５に接触することを規制し、変形板８５が変形することを抑制することができ、電流遮断機構８０の誤作動を抑制することができる。
【００８８】
（４）絶縁カバー９０は、タブ接合部５１ａ，５２ａと蓋部材１５とを絶縁する導電部材絶縁部９１と、正極引出端子６０を電極組立体１２から絶縁する端子絶縁部９２、及び電流遮断機構８０を電極組立体１２から絶縁する機構絶縁部９３とを一体に備える。このため、タブ接合部５１ａ，５２ａと蓋部材１５の絶縁部材、正極引出端子６０と電極組立体１２の絶縁部材、電流遮断機構８０と電極組立体１２の絶縁部材をそれぞれ別々に設ける場合と比べると、二次電池１０の部品点数を減らすことができ、二次電池１０の組立作業が容易になる。
【００８９】
（５）絶縁カバー９０は、絶縁部本体９１ａの長手方向両端部に収容凹部９１ｆを備え、各収容凹部９１ｆには、蓋部材１５の突部１９が入り込んでいる。突部１９は、蓋部材１５上での外側絶縁部材５７の回転を規制するために、外側絶縁部材５７の回り止め部５８が入り込む部位である。よって、二次電池１０は、外側絶縁部材５７の回り止めを規制する突部１９を蓋部材１５に備えつつも、その突部１９が絶縁カバー９０の装着状態での邪魔になることがない。
【００９０】
なお、上記実施形態は以下のように変更してもよい。
○  絶縁カバー９０が導電部材絶縁部９１と、端子絶縁部９２と、機構絶縁部９３とを一体に備える構成であったが、導電部材絶縁部９１と、端子絶縁部９２と、機構絶縁部９３とを別体としてもよい。
【００９１】
○  端子絶縁部９２のリブ９２ｇや、機構絶縁部９３のリブ９３ｇを無くし、端子絶縁部９２や機構絶縁部９３の厚みそのもので突出寸法Ｍ１と突出寸法Ｍ２が同じになるようにしてもよい。
【００９２】
○  絶縁カバー９０を、導電部材絶縁部９１が存在せず、端子絶縁部９２と機構絶縁部９３が一体化された構造としてもよい。
○  絶縁カバー９０において、電流遮断機構８０の変形板８５に接触しないように機構絶縁部９３を対向方向Ｚに沿って離間させれば、逃がし凹部９３ｆは無くてもよい。
【００９３】
○  蓄電装置は、正極引出端子６０と一体の電流遮断機構８０を有する二次電池にも適用することができる。この場合、正極引出端子６０と電極組立体１２のタブ側端面１２ｂとの間に機構絶縁部９３が配置され、負極引出端子６１と電極組立体１２のタブ側端面１２ｂとの間に端子絶縁部９２が配置される。正極引出端子６０が第１の電極端子に対応し、負極引出端子６１が第２の電極端子に対応する。
【００９４】
○  壁部は蓋部材１５ではなく、ケース部材１４の側壁であってもよい。
○  電極端子は、正極引出端子６０や負極引出端子６１のように、外部接続端子６６と端子接続部材４４を介して接続されるものでなくてもよく、正極導電部材５１や負極導電部材５２に直接接続されたものでもよい。
【００９５】
○  蓄電装置は、例えばキャパシタなど、二次電池以外の蓄電装置にも適用可能である。
○  正極電極２１及び負極電極３１は、金属箔の片面に活物質層が存在する構造でもよい。
【００９６】
○  二次電池１０は、リチウムイオン二次電池でもよいし、他の二次電池であってもよい。要は、正極用の活物質と負極用の活物質との間をイオンが移動するとともに電荷の授受を行うものであればよい。
【００９７】
次に、上記実施形態及び別例から把握できる技術的思想について以下に追記する。
（１）異なる極性の電極が互いに絶縁されて積層された状態の電極組立体と、前記電極から突出した形状のタブが積層され、前記電極組立体の端面から突出した各極性のタブ群と、前記電極組立体及び前記タブ群を収容したケースと、前記ケースの壁部の外側に配置された外部接続端子と、前記電極組立体の端面と前記壁部との間に配置され、前記タブ群と電気的に接続された導電部材と、前記タブ群の並設方向において該タブ群よりも外側で前記導電部材に接続され、前記壁部から外部に突出した状態の引出端子と、前記壁部の外側に配置され、かつ前記引出端子と前記外部接続端子とを接続した端子接続部材と、一対の前記導電部材と前記壁部との間に介在する絶縁カバーと、を備える蓄電装置であって、前記壁部における前記外部接続端子と重なる部分に、前記外部接続端子の係合凸部を回り止めする係止凹部を前記絶縁カバーに向けて突出して備え、前記絶縁カバーは、前記係止凹部によって前記壁部から突出した部分を収容する収容凹部を備えることを特徴とする蓄電装置。
【００９８】
これによれば、壁部から突出した部分は、壁部上での外部接続端子の回転を規制するための部位である。よって、蓄電装置は、外部接続端子の回り止めを規制する構造を壁部に備えつつも、その部分が絶縁カバーの装着状態での邪魔になることがない。
【００９９】
（２）前記端子絶縁部の高さは、前記機構絶縁部の高さより高い蓄電装置。
【符号の説明】
【０１００】
Ｍ１，Ｍ２…突出寸法、１０…蓄電装置としての二次電池、１１…ケース、１２…電極組立体、１２ｂ…タブ側端面、１５…壁部としての蓋部材、２１…正極電極、３１…負極電極、５１…正極導電部材、５２…負極導電部材、６０…第２の電極端子としての正極引出端子、６１…第１の電極端子としての負極引出端子、８０…電流遮断機構、８５…変形板、９１…導電部材絶縁部、９２…端子絶縁部、９３…機構絶縁部。
【図１】
2017110548.tif 000003
【図２】
2017110548.tif 000004
【図３】
2017110548.tif 000005
【図４】
2017110548.tif 000006
【図５】
2017110548.tif 000007
【図６】
2017110548.tif 000008
【図７】
2017110548.tif 000009
【図８】
2017110548.tif 000010
【図９】
2017110548.tif 000011
【国際調査報告】
2017110548.tif 000012
2017110548.tif 000013
2017110548.tif 000014
2017110548.tif 000015